(57)【要約】【課題】非常時にはユーザを区別することなく無線通信手段をあまねく提供する。【解決手段】無線中継装置１０は、通常時では、利用可能な事業者を区別する事業者識別情報をドナー信号３またはキャリア信号４に含めることにより、当該事業者識別情報を含むドナー信号３またはキャリア信号４だけを送受信している。それに対して、非常時では、無線通信装置１０は、事業者識別情報によって事業者を区別しないことを示す事業者識別解除情報をドナー信号３に含めて、すべての事業者を区別することなく、どの事業者の無線信号でも送受信ができるようにする処理モードを設定する。また、非常時には、無線通信装置１０は、送信するドナー信号３またはキャリア信号４の出力電力を増加させるための出力電力アップ指示情報をドナー信号３に含めて、通信エリアを拡げるようにする処理モードを設定する。【選択図】図１
2014049777.tif 000002
【特許請求の範囲】
【請求項１】
無線通信装置は、
動作状態を示す処理モードとモード設定情報と現在設定されている前記処理モードを示すフラグとを関連付けた処理モード情報を記憶している記憶部と、
前記モード設定情報を取得し、前記処理モード情報を参照し、取得した前記モード設定情報に関連付けられた前記処理モードにフラグをセットし、新たな無線信号を受信したときに、そのフラグをセットされた処理モードに対応する制御指示を送信するキャリア識別部と、
前記キャリア識別部から受信した前記制御指示に基づいて、前記新たな無線信号を受け付けるか否かを制御するとともに、送信する無線信号の出力電力を制御するチャネル制御部と、
を備えることを特徴とする無線通信装置。
【請求項２】
前記キャリア識別部は、
前記処理モードが通常モードまたは非常モードのうちの通常モードの場合、
前記新たな無線信号を受信したときに、その無線信号から事業者を区別する事業者識別情報を取得し、取得した前記事業者識別情報が予め設定されている事業者識別情報と一致しない場合には、前記新たな無線信号を受け付けないように前記制御指示を設定し、
非常モードの場合、
前記新たな無線信号すべてを受け付けるように前記制御指示を設定する
ことを特徴とする請求項１に記載の無線通信装置。
【請求項３】
前記キャリア識別部は、
前記処理モードが通常モードまたは非常モードのうちの非常モードの場合、
無線信号を送信するときに、その無線信号の出力電力を増加するように前記制御指示を設定する
ことを特徴とする請求項１に記載の無線通信装置。
【請求項４】
前記キャリア識別部は、
前記処理モードが通常モードまたは非常モードのうちの非常モードの場合、
無線信号を送信するときに、その無線信号の出力電力を増加するように前記制御指示を設定する
ことを特徴とする請求項２に記載の無線通信装置。
【請求項５】
前記チャネル制御部は、
前記キャリア識別部から受信した前記制御指示が、前記新たな無線信号すべてを受け付けることを示すものであった場合、
前記事業者ごとに決められている前記無線信号のキャリアの帯域を設定するフィルタをバイパスする
ことを特徴とする請求項２に記載の無線通信装置。
【請求項６】
無線通信装置は、
動作状態を示す処理モードとモード設定情報と現在設定されている前記処理モードを示すフラグとを関連付けた処理モード情報を記憶している記憶部と、キャリア識別部と、チャネル制御部と、を備え、
前記キャリア識別部は、前記モード設定情報を取得し、前記処理モード情報を参照し、取得した前記モード設定情報に関連付けられた前記処理モードにフラグをセットし、新たな無線信号を受信したときに、そのフラグをセットされた処理モードに対応する制御指示を送信するステップを実行し、
前記チャネル制御部は、前記キャリア識別部から受信した前記制御指示に基づいて、前記新たな無線信号を受け付けるか否かを制御するとともに、送信する無線信号の出力電力を制御するステップを実行する、
ことを特徴とする無線通信方法。
【請求項７】
前記キャリア識別部は、
前記処理モードが通常モードまたは非常モードのうちの通常モードの場合、
前記新たな無線信号を受信したときに、その無線信号から事業者を区別する事業者識別情報を取得し、取得した前記事業者識別情報が予め設定されている事業者識別情報と一致しない場合には、前記新たな無線信号を受け付けないように前記制御指示を設定し、
非常モードの場合、
前記新たな無線信号すべてを受け付けるように前記制御指示を設定する
ことを特徴とする請求項６に記載の無線通信方法。
【請求項８】
前記キャリア識別部は、
前記処理モードが通常モードまたは非常モードのうちの非常モードの場合、
無線信号を送信するときに、その無線信号の出力電力を増加するように前記制御指示を設定する
ことを特徴とする請求項６に記載の無線通信方法。
【請求項９】
前記キャリア識別部は、
前記処理モードが通常モードまたは非常モードのうちの非常モードの場合、
無線信号を送信するときに、その無線信号の出力電力を増加するように前記制御指示を設定する
ことを特徴とする請求項７に記載の無線通信方法。
【請求項１０】
前記チャネル制御部は、
前記キャリア識別部から受信した前記制御指示が、前記新たな無線信号すべてを受け付けることを示すものであった場合、
前記事業者ごとに決められている前記無線信号のキャリアの帯域を設定するフィルタをバイパスする
ことを特徴とする請求項７に記載の無線通信方法。
【発明の詳細な説明】
【技術分野】
【０００１】
本発明は、非常時にユーザを区別することなく無線通信手段を提供する技術に関する。
【背景技術】
【０００２】
無線通信システムは、一般的に、有線のバックボーンネットワークに接続している無線基地局と、その無線基地局によって形成される通信エリア内に存在する端末との間で通信を可能とするものである。無線基地局の通信エリア端や、無線基地局ではカバーしきれないビル陰・山地等の電波の届きにくい不感エリアに対しては、低コストで通信エリアを拡張可能な無線中継装置が用いられる場合がある。
【０００３】
震災等の非常時には、一部の無線基地局や無線中継装置が、停電により機能停止状態となったり、故障したりして、無線通信手段を使えなくなる状況が発生すると想定される。そのため、震災等の非常時には、主要都市部では、通信手段を確保するために、大ゾーン方式基地局による通信エリアを確保する対策が実施されたり、通信事業者等による衛星携帯電話の貸与等による対策が実施されたりしてきている。
【０００４】
また、特許文献１には、無線基地局が故障等により停止状態となって、移動体通信サービスの提供が不可能になった場合、無線中継装置の送出する信号が、近辺に存在する他の無線システムの妨害波となる虞があるため、その信号送出動作を停止する技術が開示されている（段落０００５，００３９等）。
【０００５】
具体的には、特許文献１に記載の無線中継装置は、受信した無線信号に含まれる事業者識別情報を取得し、その事業者識別情報と自身の記憶している照合用情報とを比較し、前記事業者識別情報と照合用情報とが一致しない場合には中継動作を停止する機能を備えている（段落００３２）。
【先行技術文献】
【特許文献】
【０００６】
【特許文献１】特開２００８−１６０３４６号公報
【発明の概要】
【発明が解決しようとする課題】
【０００７】
震災等の非常時には、ある事業者の無線通信システムは使用可能な状態であっても、別の事業者の無線通信システムは故障等によって使用できない状態となることが想定される。このような非常時に、特許文献１に記載のように、別の事業者識別情報を受け付けないようにしていたのでは、故障した別の事業者の無線通信システムのユーザが無線通信手段を使用できないという問題が発生する。
【０００８】
そこで、本発明では、非常時にはユーザを区別することなく無線通信手段をあまねく提供することを課題とする。
【課題を解決するための手段】
【０００９】
前記課題を解決するために、本発明の無線通信装置は、通常時では、利用可能な事業者を区別する事業者識別情報を無線信号に含めることにより、当該事業者識別情報を含む無線信号だけを送受信している。それに対して、非常時では、無線通信装置は、事業者識別情報によって事業者を区別しないことを示す事業者識別解除情報を無線信号に含めて、すべての事業者を区別することなく、どの事業者の無線信号でも送受信ができるようにする。また、非常時には、無線通信装置は、送信する無線信号の出力電力を増加させるための出力電力アップ指示情報を無線信号に含めて、通信エリアを拡げるようにする。
【発明の効果】
【００１０】
本発明によれば、非常時にはユーザを区別することなく無線通信手段をあまねく提供することができる。
【図面の簡単な説明】
【００１１】
【図１】本実施形態における無線通信システムの構成例を示す図である。
【図２】無線中継装置の送受信機能例を示す図である。
【図３】処理モード情報の一例を示す図である。
【図４】無線通信システムの通常モードの設定フロー例を示す図である。
【図５】無線通信システムの非常モード１の設定フロー例を示す図である。
【図６】無線通信システムの非常モード２の設定フロー例を示す図である。
【図７】無線通信システムの非常モード３の設定フロー例を示す図である。
【図８】各処理モードにおいて送受信可能なキャリア帯域および出力電力の一例を示す図であり、（ａ）は通常モードの場合を表し、（ｂ）は非常モード１の場合を表し、（ｃ）は非常モード２の場合を表し、（ｄ）は非常モード３の場合を表す。
【発明を実施するための形態】
【００１２】
次に、本発明を実施するための形態（以降、「本実施形態」と称す。）について、適宜図面を参照しながら詳細に説明する。
【００１３】
本実施形態における無線通信システムの構成例について、図１を用いて説明する。
無線通信システム１００は、基地局１、無線中継装置１０および端末２で構成される。
基地局１は、無線のダウンリンクを用いて送信する信号をドナー信号３として送出し、無線のアップリンクを用いて受信する信号をサービス信号４として受け付ける機能を有する。基地局通信エリア１ｅは、基地局１の送出するドナー信号３を受信可能で、かつ基地局１によってサービス信号４を受信可能なエリアを表している。基地局通信エリア１ｅ内に存在する端末２は、基地局１との間で無線信号を直接送受信することができる。
【００１４】
また、基地局１は、監視装置２０と有線または無線で通信することができる。基地局１は、監視装置２０から、事業者を識別する情報を示す事業者識別情報をドナー信号３に入れ込むための指示情報を取得し、通常時（通常モード時）には、指示情報で指示された事業者識別情報をドナー信号３に含めて送出する。なお、事業者識別情報は、３ＧＰＰ２  Ｓｐｅｃｉｆｉｃａｔｉｏｎｓで規定されているＳｅｃｔｏｒ  ＩＤに格納される。図１では、事業者識別情報は、「Ａ」で表されている。この「Ａ」は、事業者がＡ社であることを表している。そして、基地局１は、通常時には、事業者識別情報「Ａ」を含むドナー信号３を送出し、事業者識別情報「Ａ」を含むサービス信号４だけを受け付ける。
【００１５】
無線中継装置１０は、基地局１に比べて設置コストが低く、基地局１でカバーしきれない通信エリアを拡張することや、ビル陰・山地等の電波が届きにくい不感エリアを通信可能なエリアに改善すること等を目的として、設置される。無線中継装置１０は、ドナーアンテナ１１によって受信したドナー信号３を、サービスアンテナ１２から送出し、サービスアンテナ１２によって受信したサービス信号４を、ドナーアンテナ１１から送出する機能を有する。つまり、無線中継装置１０は、基地局１が送出したドナー信号３をさらに遠くに送出し、図１に示す拡張通信エリア１０ｅの範囲内に存在する端末２と基地局１との間で通信を可能にする。ただし、無線中継装置１０は、通常時（通常モード時）では、特定の事業者識別情報（図１中では、「Ａ」）を含むドナー信号３またはサービス信号４だけを中継する。なお、無線中継装置１０の構成や機能の詳細については後記する。
【００１６】
端末２は、移動可能な無線通信装置（例えば、携帯電話、携帯情報端末等）であって、ユーザによって携帯されてもよい。端末２は、通常時（通常モード時）には、事業者識別情報「Ａ」を含むドナー信号３を受け付け、事業者識別情報「Ａ」を含むサービス信号４を送出する機能を有する。つまり、端末２は、通常時には、「Ａ」以外の別の事業者識別情報を含む信号を送受信することはない。
【００１７】
次に、図２を用いて、無線中継装置１０の送受信機能例について説明する。なお、無線中継装置１０は基地局１および端末２の送受信機能をすべて含んでいるので、無線中継装置１０の場合を代表例として説明する。
【００１８】
図２に示すように、無線中継装置１０は、ドナーアンテナ１１に接続するＤＵＰ（デュプレクサ）１０１、サービスアンテナ１２に接続するＤＵＰ１２１、ダウンリンク回路を構成するキャリア識別部１０２、チャネル制御部１０３、ＤＬ（ダウンリンク）処理部１１０、処理モード情報１５０、およびアップリンク回路を構成するキャリア識別部１２２、チャネル制御部１２３、ＵＬ（アップリンク）処理部１３０を備える。キャリア識別部１０２，１２２およびチャネル制御部１０３，１２３は、不図示のマイコン等によってそれらの機能が実現される。また、処理モード情報１５０は、不図示の記憶部に記憶されている。なお、ダウンリンク回路とアップリンク回路との違いは、ダウンリンク回路のキャリア識別部１０２が無線中継装置１０の処理モードを設定する点である。したがって、以降では、ダウンリンク回路に焦点をあてて詳細に説明する。
【００１９】
ここで、無線中継装置１０の処理モードについて、図３を用いて説明しておく（適宜、図１，２参照）。図３は、処理モード１５１、モード設定情報１５２およびフラグ１５３を関連付けた処理モード情報１５０を表している。
処理モード１５１は、無線中継装置１０が動作する状態を示す情報である。処理モード１５１には、通常モード、非常モード１、非常モード２および非常モード３の４つがある。この４つの処理モード１５１の中で、非常モード１、非常モード２および非常モード３が、非常時に設定される。
【００２０】
通常モードは、キャリア識別部１０２によって、モード設定情報１５２として事業者識別モード情報：Ａを取得されたとき、設定される。なお、処理モード１５１として通常モードが設定されていることは、フラグ１５３に「１」を付す（フラグをセットする）ことによって表される。通常モードでは、無線中継装置１０は、事業者識別情報「Ａ」を含むドナー信号３を受信したときに、キャリア識別部１０２において当該ドナー信号３を受け付けると判定し、そのドナー信号３の出力電力を調整して中継する。つまり、無線中継装置１０は、特定の事業者のキャリア周波数の信号だけを中継する。
【００２１】
具体的には、通常モードでは、無線中継装置１０は、ドナー信号３をドナーアンテナ１１で受信したとき、キャリア識別部１０２においてＤＵＰ１０１を介して事業者識別情報（例えば、「Ａ」）を取得する。そして、無線中継装置１０は、キャリア識別部１０２においてその事業者識別情報（「Ａ」）を含む信号を受け付けると判定した場合、ＤＬ処理部１１０において信号の電力を調整し、ＤＵＰ１２１を介してサービスアンテナ１２からドナー信号３を送出する。
【００２２】
図３に戻って、非常モード１は、キャリア識別部１０２によって、モード設定情報１５２として事業者識別解除情報を取得されたとき、設定される。なお、処理モード１５１として非常モード１が設定されていることは、図３に示すように、フラグ１５３に「１」を付す（フラグをセットする）ことによって表される。非常モード１では、無線中継装置１０は、ドナー信号３に含まれる事業者識別情報を区別することなく、受信した信号すべての出力電力を調整して中継する。
【００２３】
非常モード２は、キャリア識別部１０２によって、モード設定情報１５２として出力電力アップ指示情報を取得されたとき、設定される。なお、処理モード１５１として非常モード２が設定されていることは、フラグ１５３に「１」を付す（フラグをセットする）ことによって表される。非常モード２では、無線中継装置１０は、事業者識別情報「Ａ」を含むドナー信号３を受信したときに、キャリア識別部１０２において当該ドナー信号３を受け付けると判定し、そのドナー信号３の出力電力を増加して中継する。
【００２４】
非常モード３は、キャリア識別部１０２によって、モード設定情報１５２として事業者識別解除情報および出力電力アップ指示情報を取得されたとき、設定される。なお、処理モード１５１として非常モード３が設定されていることは、フラグ１５３に「１」を付す（フラグをセットする）ことによって表される。非常モード３では、無線中継装置１０は、ドナー信号３に含まれる事業者識別情報を区別することなく、受信した信号すべての出力電力を増加して中継する。
【００２５】
図２に戻って、ＤＵＰ１０１は、送信アンテナと受信アンテナとを１本のドナーアンテナ１１で共用するために、ダウンリンク回路とアップリンク回路とを電気的に分離する機能を有する。
【００２６】
キャリア識別部１０２は、ドナー信号３に含まれる事業者識別情報および／またはモード設定情報１５２を取得する機能を有する。そして、キャリア識別部１０２は、モード設定情報１５２を取得したとき、処理モード情報１５０（図３参照）を参照して、取得したモード設定情報１５２に対応するフラグ１５３に「１」を設定する（フラグをセットする）。また、キャリア識別部１０２は、事業者識別情報を取得したとき、処理モード１５１に対応した制御指示を生成し、その制御指示をチャネル制御部１０３に送信する。
【００２７】
なお、モード設定情報１５２は、事業者識別情報の代わりにドナー信号３に格納されるか、または事業者識別情報と共にドナー信号３に格納されて、送信される。このことにより、３ＧＰＰ２  Ｓｐｅｃｉｆｉｃａｔｉｏｎｓで規定されている仕様を変更することなく、処理モード１５１を変更することが可能となる。
また、フラグ１５３は「１」以外の記号や数字で表されても構わない。
【００２８】
例えば、通常モードの場合には、キャリア識別部１０２は、ドナー信号３から事業者識別情報「Ａ」を取得したときに、そのドナー信号３の出力電力を調整して出力する制御指示をチャネル制御部１０３に送信する。
非常モード１の場合には、キャリア識別部１０２は、ドナー信号３からいずれの事業者識別情報を取得したときであっても、そのドナー信号３の出力電力を調整して出力する制御指示をチャネル制御部１０３に送信する。
【００２９】
非常モード２の場合には、キャリア識別部１０２は、ドナー信号３から事業者識別情報「Ａ」を取得したときに、そのドナー信号３の出力電力を増加して出力する制御指示をチャネル制御部１０３に送信する。
非常モード３の場合には、キャリア識別部１０２は、ドナー信号３からいずれの事業者識別情報を取得したときであっても、そのドナー信号３の出力電力を増加して出力する制御指示をチャネル制御部１０３に送信する。
【００３０】
チャネル制御部１０３は、キャリア識別部１０２から受信した制御指示に基づいて、ＤＬ処理部１１０を制御する。例えば、チャネル制御部１０３は、通常モードまたは非常モード２の場合の制御指示を受信したときには、信号１０５によってデジタルフィルタ１１２がＡ社のキャリア帯域を通過域として形成するように制御するとともに、信号１０４によって増幅部１１４の出力電力を調整する。また、チャネル制御部１０３は、非常モード１または非常モード３の場合の制御指示を受信したときには、信号１０６によって帯域フィルタ１１１，１１３およびデジタルフィルタ１１２をバイパスするようにスイッチ１１５，１１６，１１７をＯＮさせるとともに、信号１０４を用いて増幅部１１４の出力電力を調整する。
【００３１】
ＤＬ処理部１１０は、帯域フィルタ１１１、ＡＤ（アナログデジタル変換器）、デジタルフィルタ１１２、ＤＡ（デジタルアナログ変換器）、帯域フィルタ１１３、増幅部１１４、スイッチ１１５，１１６，１１７で構成される。
帯域フィルタ１１１，１１３は、帯域通過フィルタである。
デジタルフィルタ１１２は、事業者識別情報に対応するキャリア帯域の信号を通過させるフィルタであり、信号１０５によって制御される。
【００３２】
増幅部１１４は、サービスアンテナ１２から出力するドナー信号３の出力電力を調整し、信号１０４によって制御される。
スイッチ１１５，１１６，１１７は、信号１０６によってＯＮされることにより、帯域フィルタ１１１，１１３およびデジタルフィルタ１１２をバイパスする。
ＡＤは、信号をアナログからデジタルに変換する。
ＤＡは、信号をデジタルからアナログに変換する。
なお、図２に示すＤＬ処理部１１０では、図示したブロック機能以外の変復調器等の記載を省略している。
【００３３】
ＤＵＰ１２１は、送信アンテナと受信アンテナとを１本のサービスアンテナ１２で共用するために、ダウンリンク回路とアップリンク回路とを電気的に分離する機能を有する。
キャリア識別部１２２は、サービス信号４に含まれる事業者識別情報を取得する機能を有する。また、キャリア識別部１２２は、事業者識別情報を取得したとき、処理モード１５１に対応した制御指示を生成し、その制御指示をチャネル制御部１２３に送信する。
【００３４】
チャネル制御部１２３は、キャリア識別部１２２から受信した制御指示に基づいて、ＵＬ処理部１３０を制御する。例えば、チャネル制御部１２３は、通常モードまたは非常モード２の場合の制御指示を受信したときには、信号１２５によってデジタルフィルタ１３２がＡ社のキャリア帯域を通過域として形成するように制御するとともに、信号１２４によって増幅部１３４の出力電力を調整する。また、チャネル制御部１２３は、非常モード１または非常モード３の場合の制御指示を受信したときには、信号１２６によって帯域フィルタ１３１，１３３およびデジタルフィルタ１３２をバイパスするようにスイッチ１３５，１３６，１３７をＯＮさせるとともに、信号１２４を用いて増幅部１３４の出力電力を調整する。
【００３５】
ＵＬ処理部１３０は、帯域フィルタ１３１、ＡＤ、デジタルフィルタ１３２、ＤＡ、帯域フィルタ１３３、増幅部１３４、スイッチ１３５，１３６，１３７で構成される。
帯域フィルタ１３１，１３３は、帯域通過フィルタである。
デジタルフィルタ１３２は、事業者識別情報に対応するキャリア帯域の信号を通過させるフィルタであり、信号１２５によって制御される。
【００３６】
増幅部１３４は、ドナーアンテナ１１から出力するサービス信号４の出力電力を調整し、信号１２４によって制御される。
スイッチ１３５，１３６，１３７は、信号１２６によってＯＮされることにより、帯域フィルタ１３１，１３３およびデジタルフィルタ１３２をバイパスする。
ＡＤは、信号をアナログからデジタルに変換する。
ＤＡは、信号をデジタルからアナログに変換する。
なお、図２に示すＵＬ処理部１３０では、図示したブロック機能以外の変復調器等の記載を省略している。
【００３７】
なお、図２を用いて前記した無線中継装置１０の送受信機能は、基地局１および端末２にも同様に備わっている。具体的には、基地局１の送受信機能は、少なくとも、チャネル制御部１０３，１２３、ＤＬ処理部１１０（帯域フィルタ１１１、ＡＤを除く）、処理モード情報１５０、ＤＵＰ１２１、アンテナ（サービスアンテナ１２）、キャリア識別部１２２、ＵＬ処理部１３０（ＤＡ、帯域フィルタ１３３、増幅部１３４を除く）を備えている。基地局１は、監視装置２０からモード設定情報１５２を取得したときに、処理モード情報１５０（図３参照）の処理モード１５１に対応するフラグ１５３に「１」を付す（フラグをセットする）。そして、基地局１は、処理モード１５１に応じて、アンテナから受信したサービス信号４を受け付けるか否かをデジタルフィルタ１３２によって制御し、ドナー信号３を送出するときに増幅部１１４によって出力電力の制御を実行する。
【００３８】
また、端末２の送受信機能は、少なくとも、アンテナ（ドナーアンテナ１１）、ＤＵＰ１０１、キャリア識別部１０２、チャネル制御部１０３，１２３、処理モード情報１５０、ＤＬ処理部１１０（ＤＡ、帯域フィルタ１１３、増幅部１１４を除く）、ＵＬ処理部１３０（帯域フィルタ１３１、ＡＤ、デジタルフィルタ１３２を除く）を備えている。端末２は、モード設定情報１５２を取得したとき、処理モード情報１５０（図３参照）の処理モード１５１に対応するフラグ１５３に「１」を付す（フラグをセットする）。そして、端末２は、処理モード１５１に応じて、アンテナから受信したドナー信号３を受け付けるか否かをデジタルフィルタ１１２によって制御し、サービス信号４を送信するときに増幅部１３４によって出力電力の制御を実行する。
【００３９】
次に、初期状態として通常モードを設定する場合または非常モード（非常モード１、非常モード２、非常モード３）から通常モードに戻す場合であって、無線通信システム１００の通常モードの設定フロー例について、図４を用いて説明する（適宜、図１，２参照）。なお、基地局１、無線中継装置１０および端末２は、通常モードでは、Ａ社の通信サービスに基づいて動作している装置であるものとする。
【００４０】
ステップＳ４０１では、基地局１は、監視装置２０からモード設定情報１５２として事業者識別モード情報：Ａの組込みを受け付ける。
【００４１】
ステップＳ４０２では、基地局１は、事業者識別モード情報：Ａをドナー信号３に含めて送出する。
ステップＳ４０３では、無線中継装置１０のキャリア識別部１０２は、受信したドナー信号３から事業者識別モード情報：Ａを取得する。
【００４２】
ステップＳ４０４では、無線中継装置１０のキャリア識別部１０２は、モード設定情報１５２が事業者識別モード情報：Ａか否かを判定する。
事業者識別モード情報：Ａであると判定した場合（ステップＳ４０４でＹｅｓ）、処理はステップＳ４０５へ進み、事業者識別モード情報：Ａでないと判定した場合（ステップＳ４０４でＮｏ）、処理は終了する。
【００４３】
ステップＳ４０５では、無線中継装置１０は、Ａ社のチャネルを設定する。具体的には、無線中継装置１０は、Ａ社のキャリア帯域（チャネル）をデジタルフィルタ１１２，１３２に設定する。また、キャリア識別部１０２は、処理モード情報１５０（図３参照）の通常モードに対応するフラグ１５３に「１」を付す（フラグをセットする）。
【００４４】
ステップＳ４０５以降では、無線中継装置１０が事業者識別情報「Ａ」を含むドナー信号３（またはサービス信号４）を受信した場合、無線中継装置１０は、事業者識別情報「Ａ」のドナー信号３（またはサービス信号４）を中継する。また、無線中継装置１０が「Ａ」以外の事業者識別情報のドナー信号３（またはサービス信号４）を受信した場合、無線中継装置１０は、すべてのチャネルの通過を阻止するようにデジタルフィルタ１１２，１３２を制御して、ドナー信号３（またはサービス信号４）を中継しない。
【００４５】
次に、非常時には事業者を区別せずに（つまり、ユーザを区別することなく）無線通信手段をあまねく提供する非常モード１の場合であって、無線通信システム１００の非常モード１の設定フロー例について、図５を用いて説明する（適宜、図１，２参照）。
【００４６】
ステップＳ５０１では、基地局１は、監視装置２０からモード設定情報１５２として事業者を区別しないことを示す事業者識別解除情報の組込みを受け付ける。
【００４７】
ステップＳ５０２では、基地局１は、事業者識別解除情報をドナー信号３に含めて送出する。
ステップＳ５０３では、無線中継装置１０のキャリア識別部１０２は、受信したドナー信号３から事業者識別解除情報を取得する。
【００４８】
ステップＳ５０４では、無線中継装置１０のキャリア識別部１０２は、モード設定情報１５２が事業者識別解除情報か否かを判定する。
事業者識別解除情報であると判定した場合（ステップＳ５０４でＹｅｓ）、処理はステップＳ５０５へ進み、事業者識別解除情報でないと判定した場合（ステップＳ５０４でＮｏ）、処理は終了する。
【００４９】
ステップＳ５０５では、無線中継装置１０は、すべてのチャネルを設定する。具体的には、無線中継装置１０は、すべてのキャリアを通過する帯域をデジタルフィルタ１１２，１３２に設定する。また、キャリア識別部１０２は、処理モード情報１５０（図３参照）の非常モード１に対応するフラグ１５３に「１」を付す（フラグをセットする）。
【００５０】
ステップＳ５０５以降では、無線中継装置１０がどの事業者識別情報を含むドナー信号３（またはサービス信号４）を受信したとしても、無線中継装置１０は、そのドナー信号３（またはそのサービス信号４）を中継する。このようにすることで、無線中継装置１０は、非常時にはユーザを区別することなく無線通信手段をあまねく提供することができる。
【００５１】
次に、非常時に無線中継装置１０の出力電力をアップ（増加）して、より遠くまで通信を可能にする非常モード２の場合であって、無線通信システム１００の非常モード２の設定フロー例について、図６を用いて説明する（適宜、図１，２参照）。
【００５２】
ステップＳ６０１では、基地局１は、監視装置２０からモード設定情報１５２として出力電力を増加することを示す出力電力アップ指示情報の組込みを受け付ける。
【００５３】
ステップＳ６０２では、基地局１は、出力電力アップ指示情報をドナー信号３に含めて送信する。
ステップＳ６０３では、無線中継装置１０のキャリア識別部１０２は、受信したドナー信号３から出力電力アップ指示情報を取得する。
【００５４】
ステップＳ６０４では、無線中継装置１０のキャリア識別部１０２は、モード設定情報１５２が出力電力アップ指示情報か否かを判定する。
出力電力アップ指示情報であると判定した場合（ステップＳ６０４でＹｅｓ）、処理はステップＳ６０５へ進み、出力電力アップ指示情報でないと判定した場合（ステップＳ６０４でＮｏ）、処理は終了する。また、キャリア識別部１０２は、処理モード情報１５０（図３参照）の非常モード２に対応するフラグ１５３に「１」を付す（フラグをセットする）。
【００５５】
ステップＳ６０５では、無線中継装置１０は、出力電力を増加する。具体的には、無線中継装置１０は、増幅部１１４，１３４の出力電力を増加するように設定する。
【００５６】
ステップＳ６０５以降では、無線中継装置１０が事業者識別情報「Ａ」を含むドナー信号３（またはサービス信号４）を受信した場合、無線中継装置１０は、ドナー信号３（またはサービス信号４）の出力電力を増加して中継する。このようにすることで、無線中継装置１０は、非常時に無線通信手段を通常モード時より広いエリアに提供することができる。また、無線中継装置１０が「Ａ」以外の事業者識別情報のドナー信号３（またはサービス信号４）を受信した場合、無線中継装置１０は、すべてのチャネルの通過を阻止するようにデジタルフィルタ１１２，１３２を制御して、ドナー信号３（またはサービス信号４）を中継しない。
【００５７】
次に、非常時には事業者を区別せずに（ユーザを区別することなく）無線通信手段をあまねく提供するとともに、出力電力を増加する非常モード３の場合であって、無線通信システム１００の非常モード３の設定フロー例について、図７を用いて説明する（適宜、図１，２参照）。
【００５８】
ステップＳ７０１では、基地局１は、監視装置２０からモード設定情報１５２として事業者識別解除情報および出力電力アップ指示情報の組込みを受け付ける。
【００５９】
ステップＳ７０２では、基地局１は、事業者識別解除情報および出力電力アップ指示情報をドナー信号３に含めて送信する。
ステップＳ７０３では、無線中継装置１０のキャリア識別部１０２は、受信したドナー信号３から事業者識別解除情報および出力電力アップ指示情報を取得する。
【００６０】
ステップＳ７０４では、無線中継装置１０のキャリア識別部１０２は、モード設定情報１５２が事業者識別解除情報および出力電力アップ指示情報か否かを判定する。
事業者識別解除情報および出力電力アップ指示情報であると判定した場合（ステップＳ７０４でＹｅｓ）、処理はステップＳ７０５へ進み、事業者識別解除情報および出力電力アップ指示情報でないと判定した場合（ステップＳ７０４でＮｏ）、処理は終了する。
【００６１】
ステップＳ７０５では、無線中継装置１０は、すべてのチャネルについて出力電力を増加する。具体的には、無線中継装置１０は、すべてのキャリアを通過する帯域をデジタルフィルタ１１２，１３２に設定するとともに、出力電力を増加するように設定する。また、キャリア識別部１０２は、処理モード情報１５０（図３参照）の非常モード３に対応するフラグ１５３に「１」を付す（フラグをセットする）。
【００６２】
ステップＳ７０５以降では、無線中継装置１０がどの事業者識別情報を含むドナー信号３（またはサービス信号４）を受信したとしても、無線中継装置１０は、ドナー信号３（またはサービス信号４）を中継する。また、無線中継装置１０は、ドナー信号３（またはサービス信号４）の出力電力を増加して中継する。このようにすることで、無線中継装置１０は、非常時にはユーザを区別することなく無線通信手段をあまねく提供することができる。
【００６３】
図８には、通常モードや非常モードにおいて、送受信可能なキャリア帯域および出力電力の一例を示す。横軸は、周波数帯域を表し、縦軸は、出力電力を表している。
図８（ａ）は、通常モード時に送受信されるキャリア帯域と出力電力とを表している。通常モードでは、Ａ社のキャリア帯域だけが形成されることになる。
図８（ｂ）は、非常モード１時に送受信されるキャリア帯域と出力電力とを表している。非常モード１では、すべてのキャリア帯域が形成されることになり、ユーザを区別することなく無線通信手段をあまねく提供することができる。ただし、図８（ｂ）では、Ａ，Ｂ，Ｃ社のキャリア帯域を示したが、３社に限られなくともよく、２社または４社以上であっても構わない。
【００６４】
図８（ｃ）は、非常モード２時に送受信されるキャリア帯域と出力電力とを表している。非常モード２では、Ａ社のキャリア帯域だけが形成され、出力電力を増加される。つまり、通信エリアが拡張されている。
図８（ｄ）は、非常モード３時に送受信されるキャリア帯域と出力電力とを表している。非常モード３では、すべてのキャリア帯域が形成され、出力電力が増加されることになり、ユーザを区別することなく無線通信手段をあまねく提供することができる。
【００６５】
以上説明したように、本実施形態における無線中継装置１０は、通常モードでは、ドナー信号３またはキャリア信号４に事業者識別情報を含めることにより、当該事業者識別情報を含む特定の事業者の無線信号だけを送受信している。それに対して、無線中継装置１０は、事業者識別解除情報をドナー信号３に含めて、すべての事業者を区別することなく、どの事業者の無線信号でも送受信できるようにする非常モード１を処理モード１５１として設定することにより、ユーザを区別することなく無線通信手段をあまねく提供することができる。さらに、無線中継装置１０は、出力電力アップ指示情報をドナー信号３に含めて、送受信する無線信号の出力電力を増加させる非常モード２を処理モード１５１として設定することにより、通信エリアを拡げることができる。また、処理モード１５１が非常モード３の場合には、無線中継装置１０は、すべての事業者の無線信号について出力電力を増加させることにより、ユーザを区別することなく無線通信手段をあまねく提供することができる。
【００６６】
なお、本実施形態では、無線中継装置１０の送受信機能について説明したが、非常時には、基地局１および／または端末２が無線中継装置１０の場合と同様の非常モード時の処理モード１５１を設定しても構わない。
【００６７】
また、本実施形態では、事業者識別解除情報および／または出力電力アップ指示情報を、基地局１からドナー信号３に含めて無線中継装置１０に送信するように記載したが、これに限られることはなく、［１］無線中継装置１０に有線インタフェースを備え、監視装置２０から事業者識別解除情報および／または出力電力アップ指示情報を無線中継装置１０に直接送信する方法、［２］無線中継装置１０が、スタンドアローンで、地震等の振動や災害情報等の受信をトリガとして、自律的に処理モード１５１を設定する方法、を用いても構わない。
【００６８】
また、図１では、基地局１と端末２とが、ドナー信号３またはサービス信号４を送受信するように記載しているが、端末２同士が直接通信を行っても構わない。
【００６９】
なお、本発明は上記した実施形態に限定されるものではなく、様々な変形例が含まれる。例えば、上記した実施形態は、本発明を分かりやすく説明するために詳細に説明したものであり、必ずしも、説明したすべての構成を備えるものに限定されるものではない。また、ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることが可能である。
また、上記の各機能等は、それらの一部または全部を、例えば、集積回路で設計する等によりハードウェアで実現してもよい。また、上記の各機能等は、マイコン等のプロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、またはＩＣ（Integrated Circuit）カード、ＳＤカード、ＤＶＤ（Digital Versatile Disc）等の記録媒体に置くことができる。
また、制御線や情報線は説明上必要と考えられるものを示しており、製品上必ずしもすべての制御線や情報線を示しているとは限らない。実際には、ほとんどすべての構成が相互に接続されていると考えてもよい。
【符号の説明】
【００７０】
１  基地局（無線通信装置）
１ｅ  基地局通信エリア
２  端末（無線通信装置）
３  ドナー信号（無線信号）
４  サービス信号（無線信号）
１０  無線中継装置（無線通信装置）
１０ｅ  拡張通信エリア
１１  ドナーアンテナ
１２  サービスアンテナ
１００  無線通信システム
１０１，１２１  ＤＵＰ
１０２，１２２  キャリア識別部
１０３，１２３  チャネル制御部
１１０  ＤＬ処理部
１１１，１１３，１３１，１３３  帯域フィルタ
１１２，１３２  デジタルフィルタ（フィルタ）
１１４，１３４  増幅部
１３０  ＵＬ処理部
１５０  処理モード情報
１５１  処理モード
１５２  モード設定情報
１５３  フラグ
【図１】
2014049777.tif 000003
【図２】
2014049777.tif 000004
【図３】
2014049777.tif 000005
【図４】
2014049777.tif 000006
【図５】
2014049777.tif 000007
【図６】
2014049777.tif 000008
【図７】
2014049777.tif 000009
【図８】
2014049777.tif 000010